(57)【特許請求の範囲】
【請求項１】
折り目を境として表表紙及び裏表紙からなる外側紙と２つ折り状態の単又は複数の内側紙とを中綴じして冊子を構成し、前記表表紙及び裏表紙の一方の表紙の小口側端を延出してなる延出部を他方の表紙の表面側に折り曲げ、折り曲げられた延出部に接する前記他方の表紙の接合部の一部に単又は複数の切欠き若しくは穴を形成して前記他方の表紙の内側に差し込まれた別刷り紙にも前記延出部に接する接合部を設け、前記延出部の前記接合部側の面に接着剤層を設けて前記延出部と前記他方の表紙の接合部及び前記別刷り紙の接合部とを接着することにより前記冊子の小口側端を綴じてなる配達用冊子。
【請求項２】
折り目を境として表表紙及び裏表紙からなる外側紙と２つ折り状態の単又は複数の内側紙とを中綴じして冊子を構成し、前記裏表紙の小口側端を延出してなる延出部を前記表表紙の表面側に折り曲げ、折り曲げられた延出部に接する前記表表紙の接合部の一部に単又は複数の切欠き若しくは穴を形成して前記表表紙の内側に差し込まれた別刷り紙にも前記延出部に接する接合部を設け、前記表表紙に前記別刷り紙に記載された宛名が露出する開口部を設け、前記延出部の前記接合部側の面に接着剤層を設けて前記延出部と前記他方の表紙の接合部及び前記別刷り紙の接合部とを接着することにより前記冊子の小口側端を綴じてなる配達用冊子。
【請求項３】
前記延出部が前記外側紙の縦寸法のほぼ全域に渡る縦寸法を有するものである請求項１又は２記載の配達用冊子。
【発明の詳細な説明】
【技術分野】
【０００１】
本発明は、郵便による冊子小包又は運送会社によるメール便として配達可能な配達用冊子に関するものである。
【背景技術】
【０００２】
近年において、商品の販売促進又はサービスの利用促進のために、情報量の多いカタログ又はパンフレット等の配達用冊子を、郵便による冊子小包又は運送会社によるメール便により、個人や会社にダイレクトメールとして配達することが広く行われている。このような場合、前記配達用冊子を封筒に入れて配達する形態にすると、封筒に入れる作業に手間がかかることからコストが嵩むこと及び開封率が低くなること等の問題点がある。
【０００３】
このような課題に着目して、前記配達用冊子の外側紙を構成する表表紙及び裏表紙それぞれの小口側端を延出させて重ね合わせ、この重ね合わせ面（シートの両端周辺の接着機能面）を接着することにより小口側を綴じるとともに表表紙に宛名を記載して配達するようにして、前記配達用冊子を封筒に入れる必要をなくしたものがある（例えば、特許文献１参照）。
【０００４】
特許文献１の配達用冊子の構成では、内側紙の大きさに比べて外側紙である表表紙及び裏表紙が大きくなるため、縦横の寸法サイズが限定される配達方式では、外側紙に比べて内側紙の縦横の寸法を小さくしなければならないことになり、宣伝広告面を最大限確保することができないこと等の不都合がある。このような不都合を解消するために、表表紙又は裏表紙の小口側端を延出し、その延出部を内側紙の小口側端に沿わせながら該延出部の先端を前記裏表紙又は表表紙の表面に当て付けて接着することにより、冊子の小口側を綴じるようにしてなる配達用冊子が、本願の発明者により提案されている（特願２００５−３１２６１０号参照。以下において、「先願」という。）
【０００５】
【特許文献１】実開平５−６３８７９号公報（図１−３）
【発明の開示】
【発明が解決しようとする課題】
【０００６】
特許文献１又は先願の構成によれば、封筒に入れて配達する必要がないためコスト低減化及び開封率の向上を図ることができること、並びに、圧着はがきと比較して情報量が多いこと及び紛失しにくいこと等の特長がある。しかし、別刷りのチラシ又は折込み広告等の別刷り紙を前記配達用冊子に挟んで配達しようとすると、配達の途中で紛失する場合があるため、主にこの点において改良の余地があるものである。
【０００７】
本発明は、このような課題を解決するためになされたものであり、封筒に入れて配達する必要がないとともに、前記別刷り紙を挟んだ状態を保持しながら配達することができる配達用冊子を得ることを目的とする。
【課題を解決するための手段】
【０００８】
本発明に係る配達用冊子は、前記課題解決のために、折り目を境として表表紙及び裏表紙からなる外側紙と２つ折り状態の単又は複数の内側紙とを中綴じして冊子を構成し、前記表表紙及び裏表紙の一方の表紙の小口側端を延出してなる延出部を他方の表紙の表面側に折り曲げ、折り曲げられた延出部に接する前記他方の表紙の接合部の一部に単又は複数の切欠き若しくは穴を形成して前記他方の表紙の内側に差し込まれた別刷り紙にも前記延出部に接する接合部を設け、前記延出部の前記接合部側の面に接着剤層を設けて前記延出部と前記他方の表紙の接合部及び前記別刷り紙の接合部とを接着することにより前記冊子の小口側端を綴じてなるものである。
【０００９】
また、本発明に係る配達用冊子は、前記課題解決のために、折り目を境として表表紙及び裏表紙からなる外側紙と２つ折り状態の単又は複数の内側紙とを中綴じして冊子を構成し、前記裏表紙の小口側端を延出してなる延出部を前記表表紙の表面側に折り曲げ、折り曲げられた延出部に接する前記表表紙の接合部の一部に単又は複数の切欠き若しくは穴を形成して前記表表紙の内側に差し込まれた別刷り紙にも前記延出部に接する接合部を設け、前記表表紙に前記別刷り紙に記載された宛名が露出する開口部を設け、前記延出部の前記接合部側の面に接着剤層を設けて前記延出部と前記他方の表紙の接合部及び前記別刷り紙の接合部とを接着することにより前記冊子の小口側端を綴じてなるものである。
【００１０】
ここで、前記延出部が前記外側紙の縦寸法のほぼ全域に渡る縦寸法を有するものであると好ましい。
【発明の効果】
【００１１】
本発明に係る配達用冊子によれば、折り目を境として表表紙及び裏表紙からなる外側紙と２つ折り状態の単又は複数の内側紙とを中綴じして冊子を構成し、前記表表紙及び裏表紙の一方の表紙の小口側端を延出してなる延出部を他方の表紙の表面側に折り曲げ、折り曲げられた延出部に接する前記他方の表紙の接合部の一部に単又は複数の切欠き若しくは穴を形成して前記他方の表紙の内側に差し込まれた別刷り紙にも前記延出部に接する接合部を設け、前記延出部の前記接合部側の面に接着剤層を設けて前記延出部と前記他方の表紙の接合部及び前記別刷り紙の接合部とを接着することにより前記冊子の小口側端を綴じてなるので、このように小口側端を綴じた状態で、前記別刷り紙を前記延出部に貼着することができるため、封筒に入れなくても前記別刷り紙を挟んだ状態を保持しながら配達することができる。そして、配達用冊子が配達されたときに、まず確認され最も目に付く表表紙の小口側端のみが接着されているため、該接着を剥がすことにより容易に配達用冊子の内容を見ることができる。よって、コスト低減化及び開封率の向上を確保しながら、配達の途中における前記別刷り紙の紛失を防止することができる。
【００１２】
また、本発明に係る配達用冊子によれば、折り目を境として表表紙及び裏表紙からなる外側紙と２つ折り状態の単又は複数の内側紙とを中綴じして冊子を構成し、前記裏表紙の小口側端を延出してなる延出部を前記表表紙の表面側に折り曲げ、折り曲げられた延出部に接する前記表表紙の接合部の一部に単又は複数の切欠き若しくは穴を形成して前記表表紙の内側に差し込まれた別刷り紙にも前記延出部に接する接合部を設け、前記表表紙に前記別刷り紙に記載された宛名が露出する開口部を設け、前記延出部の前記接合部側の面に接着剤層を設けて前記延出部と前記他方の表紙の接合部及び前記別刷り紙の接合部とを接着することにより前記冊子の小口側端を綴じてなるので、このように小口側端を綴じた状態で、前記別刷り紙を前記延出部に貼着することができるため、封筒に入れなくても前記別刷り紙を挟んだ状態を保持しながら配達することができる。そして、配達用冊子が配達されたときに、まず確認され最も目に付く表表紙の小口側端のみが接着されているため、該接着を剥がすことにより容易に配達用冊子の内容を見ることができる。また、前記別刷り紙に記載された宛名が前記表表紙の開口部から視認できるため、表表紙への宛名の記載又は宛名シールの貼付を不要にすることができる。よって、さらなるコスト低減化及び開封率の向上を確保しながら、配達の途中における前記別刷り紙の紛失を防止することができる。
【００１３】
さらに、前記延出部が前記外側紙の縦寸法のほぼ全域に渡る縦寸法を有するものであると、配達中における前記内側紙の小口側端の汚染を防止することができるとともに、前記延出部と前記接合部との接着面積が大きくなるため、前記冊子が綴じた状態を安定保持することができる。また、前記切欠き若しくは穴を上下方向に長く形成するか、上下方向に複数形成すれば、前記別刷り紙をより安定した状態で保持することができる。
【発明を実施するための最良の形態】
【００１４】
次に、本発明の実施の形態を添付図面に基づいて説明するが、本発明は、添付図面に示された形態に限定されず特許請求の範囲に記載の要件を満たす実施形態の全てを含むものである。また、本発明に係る配達用冊子は、郵便による冊子小包又は運送会社によるメール便として配達可能なものであり、折り目を境として中綴じしてなる冊子の表表紙及び裏表紙の一方の表紙の小口側端を延出してなる延出部を他方の表紙の表面側に折り曲げ、折り曲げられた延出部に接する前記他方の表紙の接合部の一部に単又は複数の切欠き若しくは穴を形成して前記他方の表紙の内側の用紙にも前記延出部に接する接合部を設け、前記延出部の前記接合部側の面に接着剤層を設けてなるものである。
【００１５】
図１は本発明の実施の形態に係る配達用冊子の構成を示す冊子を開いた状態の斜視図、図２は同じく冊子を閉じた状態の斜視図であり、図２（ａ）は裏表紙の延出部を折り曲げる前の状態を、図２（ｂ）は裏表紙の延出部を折り曲げて表表紙の接合部と接着し小口側端を綴じた状態を示している。また、図３は延出部を折り曲げて小口側端を綴じた状態を示す部分拡大横断平面図である。さらに、図４は別刷り紙の構成例を示す図であり、図４（ａ）は正面図、図４（ｂ）は背面図である。
【００１６】
図１〜図３において、配達用冊子１は、折り目Ｆを境として表表紙５及び裏表紙６からなる外側紙２と２つ折り状態の２枚（１枚又は３枚以上であってもよい）の内側紙３，４とを、接着剤等により中綴じして冊子を構成している。そして、裏表紙６の小口側端６Ｅを延出してなる延出部７を、内側紙３，４の小口側端３Ｅ，４Ｅに沿わせながら表表紙５の表面５Ａ側に折り曲げ、折り曲げられた延出部７に接する表表紙５の接合部８と延出部７とを接着することにより、配達用冊子１の小口側端を綴じることができる。なお、配達用冊子１は、受取人の興味を引くような情報を提供するものであり、外側紙２及び内側紙３，４の各紙面には図示しない商品説明や宣伝広告等が印刷される。特に、表表紙５の表面５Ａ及び裏表紙６の表面６Ａには、興味がわいて受取人が配達用冊子１を開封したくなるような、図示しない写真及びキャッチコピー等が印刷される。
【００１７】
また、図１及び図２に示すように、延出部７の縦寸法（上下寸法）は外側紙２（表表紙５及び裏表紙６）の縦寸法のほぼ全域に渡る寸法としているので、配達中における内側紙３，４の小口側端３Ｅ，４Ｅの汚染を防止することができるとともに、延出部７と接合部８との接着面積が大きくなるため、配達用冊子１の小口側端を綴じた状態を安定保持することができる。
【００１８】
さらに、表表紙５の前記接合部８の一部には、小口側に開放する略コ字状の、小口側端５Ｅから背側への切欠き９が形成される。したがって、図１に示すように表表紙５の内側に該表表紙５に接するように差し込まれた別刷り紙１１が、図２（ａ）に示すように前記切欠き９から露出するため、該別刷り紙１１にも前記延出部７に接する接合部１２が設けられる。よって、延出部７の接合部８側の面には接着剤層７Ａが設けられているため、図２（ｂ）に示すように裏表紙６の延出部７を表表紙５の表面５Ａ側に折り曲げることにより、図３に示すように、前記延出部７と表表紙５の接合部８が接着されるとともに、前記延出部７と別刷り紙１１の接合部１２も接着されることになる。このようにして小口側端が綴じられた状態では、配達用冊子１を封筒に入れなくとも別刷り紙１１を挟んだ状態を保持しながら配達することができる。
【００１９】
次に別刷り紙１１の構成について説明する。別刷り紙１１は、例えば、注文用若しくは返信用のはがき、申込用紙、払込用紙若しくはアンケート用紙等が印刷された、配達用冊子１の外側紙２及び内側紙３，４と別刷りのチラシ又は折込み広告等であり、図４の例では、別刷り紙１１は、配達用冊子１の配達先である受取人の宛名が記載された宛名欄１３及び注文用のはがきを備えている。
【００２０】
すなわち、図４（ａ）に示すように別刷り紙１１の表面１１Ａには、冊子小包又はメール便の宛名欄１３及び商品等届け先宛名欄１４並びに切取線１５、谷折線１６及び糊代１８が記載されており、図４（ｂ）に示すように別刷り紙１１の裏面１１Ｂには、注文用のはがきの送付先が記載されているとともに、切取線１５及び山折線１７が記載されている。
【００２１】
また、図１及び図２に示すように、表表紙５には、別刷り紙１１の宛名欄１３が露出する開口部１０が設けられているため、表表紙５には宛名を記載する必要がない。したがって、配達用冊子１を構成する外側紙２及び内側紙３，４には個別の印刷をする必要がないため、外側紙２及び内側紙３，４への印刷をオフセット印刷により行うことができ、比較的高価なバリアブル印刷用の印刷機械を使用する必要がなくなるため、低コスト化を図ることができる。さらに、外側紙２及び内側紙３，４への印刷をオフセット印刷により行い、表表紙５に宛名シールを貼付する構成と比較すると、宛名シールの製作コスト及び表表紙５への貼付作業コストを削減することができる。
【００２２】
冊子小包又はメール便として配達された配達用冊子１（図２（ｂ）の状態）を受け取った受取人は、最も目に付く表表紙５の表面５Ａ及び裏表紙６の表面６Ａに前記のとおりの写真及びキャッチコピー等が印刷されており、該印刷を視認しその内容について興味がわいた場合において、配達用冊子１の天小口及び地小口は接着されておらず小口側（腹側）のみが接着されているため、該接着部分を剥がすことにより容易に内容を確認することができる。したがって、配達用冊子１の開封率（内容を実際に見てもらえる率）が高くなる。なお、図２（ａ）及び図３に示すように、延出部７の接合部８側の面に設けられる接着剤層７Ａは、延出部７の横幅方向ほぼ中央部に設けられるため、延出部７の先端（背側に折り返された状態の小口側端６Ｅ）と表表紙５の表面５Ａとの間に指を差し込み、該延出部７の先端を掴んで引くことにより延出部７を迅速に剥がすことができる。
【００２３】
また、前記接着部分を剥がすことにより、別刷り紙１１が容易に分離され、該別刷り紙１１には前記のとおり切取線１５等が記載されているため、受取人が切取線１５で切り取ってはがきを分離した後、谷折線１６及び山折線１７で二つ折りし、糊代１８を糊付けするだけで、宛名が記載された注文用等のはがきとなるため、注文率又はアンケート等の回収率が高くなる。なお、切取線１５にミシン目を入れておけば、別刷り紙１１から前記はがきをより容易に分離することができる。
【００２４】
図５は表表紙及び別刷り紙の接合部の構成のバリエーションを示す部分拡大正面図であり、図５（ａ）は表表紙の接合部の一部に略コ字状の切欠きを上下複数形成した例を、図５（ｂ）は前記接合部の一部に波形の切欠きを上下方向に連続して形成した例を、図５（ｃ）は前記接合部の一部に上下方向に長い長穴を上下複数形成した例を示している。前記のとおり延出部７が外側紙２（表表紙５及び裏表紙６）の縦寸法のほぼ全域に渡る縦寸法を有するものであるので、図５（ａ）のような上下方向に長い略コ字状の切欠き９若しくは図５（ｂ）のような波形の切欠き９若しくは他の形状の切欠き、又は、図５（ｃ）のような上下方向に長い長穴９Ａ若しくは他の形状の穴を上下方向に複数形成することができる。したがって、別刷り紙１１をより安定した状態で保持することができる。
【００２５】
以上においては、裏表紙６の小口側端６Ｅを延出してなる延出部７を表表紙５の表面５Ａ側に折り曲げて接着することにより小口側を綴じる構成について説明したが、表表紙５の小口側５Ｅを延出してなる延出部を裏表紙６の表面６Ａ側に折り曲げて接着することにより小口側を綴じる構成とすることもできる。この場合は、裏表紙６側に折り曲げられた表表紙５の延出部に接する裏表紙６の接合部の一部に単又は複数の切欠き若しくは穴を形成しておくことにより、裏表紙６の内側に差し込まれた別刷り紙を保持することができる。
【図面の簡単な説明】
【００２６】
【図１】本発明の実施の形態に係る配達用冊子の構成を示す冊子を開いた状態の斜視図である。
【図２】同じく冊子を閉じた状態の斜視図であり、（ａ）は裏表紙の延出部を折り曲げる前の状態を、（ｂ）は裏表紙の延出部を折り曲げて表表紙の接合部と接着し小口側端を綴じた状態を示している。
【図３】延出部を折り曲げて小口側端を綴じた状態を示す部分拡大横断平面図である。
【図４】別刷り紙の構成例を示す図であり、（ａ）は正面図、（ｂ）は背面図である。
【図５】表表紙及び別刷り紙の接合部の構成のバリエーションを示す部分拡大正面図であり、（ａ）は表表紙の接合部の一部に略コ字状の切欠きを上下複数形成した例を、（ｂ）は前記接合部の一部に波形の切欠きを上下方向に連続して形成した例を、（ｃ）は前記接合部の一部に上下方向に長い長穴を上下複数形成した例を示している。
【符号の説明】
【００２７】
１  配達用冊子
２  外側紙
３，４  内側紙
３Ｅ，４Ｅ  小口側端
５  表表紙
６  裏表紙
５Ａ，６Ａ  表面
５Ｅ，６Ｅ  小口側端
７  延出部
７Ａ  接着剤層
８  接合部
９  切欠き
９Ａ  穴
１０  開口部
１１  別刷り紙
１１Ａ  表面
１１Ｂ  裏面
１２  接合部
１３  宛名欄
１４  商品等届け先宛名欄
１５  切取線
１６  谷折線
１７  山折線
１８  糊代
Ｆ  折り目
【図１】
0004815260.tif 000002
【図２】
0004815260.tif 000003
【図３】
0004815260.tif 000004
【図４】
0004815260.tif 000005
【図５】
0004815260.tif 000006